(57)【要約】【課題】４-リンク方式を用いてドアを上下方向に移動して開閉するとともに、ドアの開放時にドアを洗濯物置き台として活用できる構造となっており、狭い場所に洗濯機が設置された場合にもドアを容易に開放し、かつ洗濯物を便利に出し入れできるので、使用者の便宜性を向上できる開放型上下動ドアを備えたドラム洗濯機を提供する。【解決手段】前面に洗濯物を出し入れするための開口部１１が形成されたキャビネット１０と、キャビネット１０の前面に位置して開口部１１を開閉するドア３０と、キャビネット１０とドア３０との間に複数個のリンクで連結され、ドア３０の開放時にドア３０の前面が上向きになるように、ドア３０を下方へ移動させながら開放し、かつ上方へ移動させながら閉鎖するリンク開閉機構４０と、を含んで開放型上下動ドアを備えたドラム洗濯機を構成する。【選択図】図３
2006116321.tif 000002
【特許請求の範囲】
【請求項１】
前面に洗濯物を出し入れするための開口部が形成されたキャビネットと、
前記キャビネットの前面に位置して前記開口部を開閉するドアと、
前記キャビネットと前記ドアとの間に複数のリンクで連結され、前記ドアの開放時にドアの前面が上向きになるように、ドアを下方に移動させながら開放し、かつ上方に移動させながら閉鎖するリンク開閉機構と、を含むことを特徴とする開放型上下動ドアを備えたドラム洗濯機。
【請求項２】
前記ドアは、その一部がドアの開放状態で洗濯物を収容する容器構造である請求項１に記載の開放型上下動ドアを備えたドラム洗濯機。
【請求項３】
前記ドアは、前記キャビネットの前面に位置するドアフレームと、前記ドアフレームに備わり、前記キャビネットの開口部の内側に突出した容器形のドア窓と、を含む請求項１に記載の開放型上下動ドアを備えたドラム洗濯機。
【請求項４】
前記リンク開閉機構は、前記ドアの両側に二つのリンク部材が４-リンク方式で連結されている請求項１に記載の開放型上下動ドアを備えたドラム洗濯機。
【請求項５】
前記リンク開閉機構は、前記ドアの側面及び前記キャビネットの底面に連結された第１リンク部材と、前記第１リンク部材に連結されたドアの側面よりも相対的に高いドアの側面、及び前記第１リンク部材に連結されたキャビネットの底面よりも相対的に後側のキャビネットの底面に連結された第２リンク部材と、を含む請求項４に記載の開放型上下動ドアを備えたドラム洗濯機。
【請求項６】
前記キャビネットの底面には、前記第１及び第２リンク部材に連結されたリンクブラケットが装備されている請求項５に記載の開放型上下動ドアを備えたドラム洗濯機。
【請求項７】
前記キャビネット、前記ドア、前記リンク開閉機構の少なくともいずれか一つには、前記ドアの完全開放位置を決定するストッパーが装備されている請求項１に記載の開放型上下動ドアを備えたドラム洗濯機。
【請求項８】
前記キャビネットの前面には、前記リンク開閉機構の移動経路として上下方向のスリットが形成されている請求項１に記載の開放型上下動ドアを備えたドラム洗濯機。
【請求項９】
前記スリットには、異物質の流入を防止するための異物質流入防止部材が装備されている請求項８に記載の開放型上下動ドアを備えたドラム洗濯機。
【請求項１０】
前記ドラム洗濯機は、前記リンク開閉機構を昇降させてドアを自動的に開閉する自動開閉機構を含む請求項１乃至９のいずれか１項に記載の開放型上下動ドアを備えたドラム洗濯機。
【請求項１１】
前記自動開閉機構は、前記リンク開閉機構を回転するための電動モータを含む請求項１０に記載の開放型上下動ドアを備えたドラム洗濯機。
【発明の詳細な説明】
【技術分野】
【０００１】
本発明は、ドラム洗濯機のドアに関し、詳しくは、ドアが下方に開放された状態で、ドアを洗濯物置き台として活用できる開放型上下動ドアを備えたドラム洗濯機に関する。
【背景技術】
【０００２】
従来のドラム洗濯機において、図１に示すように、キャビネット１の前面には、略水平方向に位置したタブ及びドラムの内部に連通する開口部３と、この開口部３を開閉するためのドア５と、が設置される。
【０００３】
前記ドア５は、その一側が前記キャビネット１の開口部３側にヒンジ機構７によって連結された状態で、他側に位置した取っ手を引っ張るか押して開閉する構造となっている。
【０００４】
前記ドア５には、円状のドア枠５ａ及びドア窓５ｂが備わる。このドア窓５ｂは、一般に、透明なガラス材料からなり、前記キャビネット１内に設置されるガスケット９に接触するように、洗濯機の内側に膨らんだ構造となっている。
【０００５】
しかしながら、従来のドラム洗濯機のドアは、側面方向への開閉方式で開放されるために、図２に示すように、洗濯機１が壁面Ｗに密着して設置された場合、ドア５が完全に開かなくなるという問題点があった。さらに、ドア５が完全に開かない場合、膨らんだドア窓５ｂが洗濯機の開口部３側に位置するようになり、使用者が洗濯物を出し入れするときに干渉が発生して不便であった。
【０００６】
また、洗濯の終了後、使用者が洗濯機から洗濯物を取り出すとき、洗濯物が絡み合った状態であるため、洗濯物を取り出す過程で洗濯物が底面に落ちることが多いが、この場合、洗濯を再び行う必要があるという問題点があった。
【０００７】
また、洗濯の終了後、洗濯機から洗濯物を取り出すとき、洗濯物を別途の容器に収容した状態で、他の洗濯物を取り出す行為を繰り返して行うが、この場合、洗濯物を収容しておく別途の容器が必要になり、洗濯物を取り出す過程で使用者が不便を感じるという問題点があった。
【発明の開示】
【発明が解決しようとする課題】
【０００８】
本発明は、上記の問題点を解決するためになされたもので、４-リンク方式を用いてドアを上下方向に移動して開閉するとともに、ドアの開放時にドアを洗濯物置き台として活用する構造となっており、狭い場所に洗濯機が設置された場合にも、ドアを容易に開放し、かつ洗濯物を便利に出し入れすることで、使用者の便宜性を向上できる開放型上下動ドアを備えたドラム洗濯機を提供することを目的とする。
【課題を解決するための手段】
【０００９】
上記の目的を達成するために、本発明による開放型上下動ドアを備えたドラム洗濯機は、 前面に洗濯物を出し入れするための開口部が形成されたキャビネットと、前記キャビネットの前面に位置して前記開口部を開閉するドアと、前記キャビネットとドアとの間に複数のリンクで連結され、前記ドアの開放時にドアの前面が上向きになるように、ドアを下方に移動させながら開放し、かつ上方に移動させながら閉鎖するリンク開閉機構と、を含むことを特徴とする。
【００１０】
前記ドアは、その一部がドアの開放状態で洗濯物を収容する容器構造であってよい。
【００１１】
前記ドアは、前記キャビネットの前面に位置するドアフレームと、前記ドアフレームに備わり、前記キャビネットの開口部の内側に突出した容器形のドア窓と、を含んでよい。
【００１２】
前記リンク開閉機構は、前記ドアの両側に二つのリンク部材が４-リンク方式で連結されていてよい。
【００１３】
前記リンク開閉機構は、前記ドアの側面及び前記キャビネットの底面に連結された第１リンク部材と、前記第１リンク部材に連結されたドアの側面よりも相対的に高いドアの側面、及び前記第１リンク部材に連結されたキャビネットの底面よりも相対的に後側のキャビネットの底面に連結された第２リンク部材と、を含んでよい。
【００１４】
前記キャビネットの底面には、前記第１及び第２リンク部材に連結されたリンクブラケットが装備されていてよい。
【００１５】
前記キャビネット、前記ドア、前記リンク開閉機構の少なくともいずれか一つには、前記ドアの完全開放位置を決定するストッパーが装備されていてよい。
【００１６】
前記キャビネットの前面には、前記リンク開閉機構の移動経路として上下方向のスリットが形成されていてよい。
【００１７】
前記スリットには、異物質の流入を防止するための異物質流入防止部材が装備されていてよい。
【００１８】
前記ドラム洗濯機は、前記リンク開閉機構を昇降させてドアを自動的に開閉する自動開閉機構を含んでよい。
【００１９】
前記自動開閉機構は、前記リンク開閉機構を回転するための電動モータを含んでよい。
【発明の効果】
【００２０】
本発明による開放型上下動ドアを備えたドラム洗濯機は、ドアがキャビネットに４-リンク方式で連結されるために、上下方向に移動して開閉するとともに、ドアの開放時にドアを洗濯物置き台として活用できる構造となっており、狭い場所に洗濯機が設置された場合にも、ドアを容易に開放し、かつ洗濯物を便利に出し入れすることができるので、使用者の便宜性を向上できるという効果がある。
【００２１】
また、電動モータを用いてドアを自動的に開閉する構造となっており、使用者の便宜性を一層向上できるという効果がある。
【発明を実施するための最良の形態】
【００２２】
以下、本発明の実施の形態を図面に基づいて説明する。
図３は本発明の第１実施形態によるドラム洗濯機を示した概略側面図、図４乃至図６は本発明の第１実施形態によるドラム洗濯機におけるドアの開閉状態を示した図、図４はドアの閉鎖状態を示した斜視図、図５はドアの開放中の状態を示した斜視図、図６はドアの開放状態を示した斜視図である。
【００２３】
本発明の第１実施形態による開放型上下動ドアを備えたドラム洗濯機は、図３乃至図６に示すように、洗濯機の外観をなすキャビネット１０を備えており、このキャビネット１０の前面には、洗濯物を投入または取り出すための開口部１１が形成される。
【００２４】
前記キャビネット１０の内部には、洗濯を行うための各装置が設置されるが、主要構成部材としては、図３に示すように、スプリング２１及びダンパー２２などでキャビネット１０内に支持されて洗濯水を収容するタブ２３と、このタブ２３の内側に位置し、回転しながら洗濯物の洗濯を行うドラム２５と、このドラム２５を回転するための駆動モータ２７と、が設置される。
【００２５】
また、前記キャビネット１０の開口部１１は、前記ドラム２５内に洗濯物を投入するか、前記ドラム２５から洗濯物を取り出せるように、前記タブ２３及びドラム２５の開口部と連通しており、前記キャビネット１０とタブ２３の開口部との間には、洗濯過程においてキャビネット１０への洗濯水などの流入を防止するガスケット２９が設置される。
【００２６】
前記キャビネット１０は、略六面体からなることが好ましく、両側面及び後面をなすキャビネット本体１２と、底面をなすベース１３と、上面をなすトップカバー１４と、前面をなし、かつ前記開口部１１が形成されたフロン（登録商標）トカバー１５と、から構成される。
【００２７】
前記フロン（登録商標）トカバー１５の上部には、洗濯機を操作する各種の操作スイッチ及び洗濯機の作動状態を知らせるディスプレイ装置などを備えたコントロールパネル１７が設置される。ここで、前記コントロールパネル１７は、洗濯機の設計条件によって、前記キャビネット１０の上面であるトップカバー１４側などにも設置可能である。
【００２８】
前記フロン（登録商標）トカバー１５の下部には、前記キャビネット本体１２及びベース１３に結合される下部カバー１９が設置される。
【００２９】
特に、前記フロン（登録商標）トカバー１５の前面には、前記開口部１１を開閉するためのドア３０が設置される。ここで、前記フロン（登録商標）トカバー１５は、前記ドア３０の閉鎖時の外側面が前記コントロールパネル１７及び下部カバー１９の外側面と同一平面をなすように、前記コントロールパネル１７及び下部カバー１９よりも相対的にキャビネット１０の内側に位置した状態で、前記キャビネット本体１２、コントロールパネル１７及び下部カバー１９に結合される。
【００３０】
前記フロン（登録商標）トカバー１５の中央部には、図５に示すように、前記開口部１１をなすリング状の開口枠１６が形成され、この開口枠１６には、前記ガスケット２９が連結される。
【００３１】
前記ドア３０は、前記フロン（登録商標）トカバー１５の形状と同一に略四角形構造となっている。前記ドア３０は、四角板状に形成され、前記フロン（登録商標）トカバー１５の前面形状と一致するドアフレーム３１と、このドアフレーム３１の中央部に設置され、前記キャビネット１０の開口部の内側に突出して前記ガスケット２９に密着する容器形のドア窓３５と、から構成される。
【００３２】
前記ドアフレーム３１は、その両側部がドアの側面を形成するように、Ｌ字状に折り曲げられて側面部３２を形成する。この両側の側面部３２には、後述するリンク開閉機構４０が連結される。
【００３３】
前記ドア窓３５は、前記ガスケット２９に接触するとともに、前記ドア３０の開放状態で洗濯物を収容するように容器形に形成される。前記ドア窓３５は、図５に示すように、前記ドアフレーム３１に装着されるリング状の窓枠３６と、洗濯物を収容可能な窪んだ容器形からなり、前記窓枠３６に結合される容器形窓３７と、から構成される。
【００３４】
ここで、前記窓枠３６は、金属材または合成樹脂材などからなり、前記容器形窓３７は、洗濯機の内部が見えるようにガラスなどの透明部材からなることが好ましい。
【００３５】
前記ドア３０には、ドアの開閉時に使用者が握る取っ手３９が設置されるが、この取っ手３９は、上側及び下側に二つの取っ手３９Ｕ，３９Ｄが設置されることが好ましい。
【００３６】
前記ドア３０は、開放して洗濯物を取り出すとき、洗濯物を一時保管できるようにドア３０の前面が上向きに開放される。したがって、前記ドア３０は、キャビネット１０の下方に移動しながら開放され、上方に移動しながら閉鎖される構造となっている。
【００３７】
上記のように前記ドア３０を開閉するために、前記ドア３０とキャビネット１０のベース１３との間には、ドア３０の両側に複数個のリンクで連結されたドア開閉機構４０が設置される。
【００３８】
前記リンク開閉機構４０は、前記ドア３０の両側に二つのリンク部材４１，４５が４-リンク方式で連結される。
【００３９】
前記リンク開閉機構４０は、前記ドア３０の側面部３２及び前記キャビネット１０のベース１３に連結される第１リンク部材４１及び第２リンク部材４５により構成される。ここで、前記第１リンク部材４１は、前記ドア３０の側面部３２の中間部及びベース１３の前部に連結され、第２リンク部材４５は、前記第１リンク部材４１の連結部よりも相対的に高いドア３０の側面部３２の上部及びベース１３の後部に連結される。
【００４０】
前記ドア３０の側面部３２には、前記第１リンク部材４１及び第２リンク部材４５の上端部に連結される連結軸４２，４６がそれぞれ設置され、前記キャビネット１０のベース１３には、前記第１リンク部材４１及び第２リンク部材４５の下端部に連結されるリンクブラケット４３，４７がそれぞれ設置される。また、前記リンクブラケット４３，４７には、二つのリンク部材４１，４５に回転可能に連結されるヒンジ軸４４，４８が備わる。
【００４１】
一方、前記キャビネット１０の前面をなすフロン（登録商標）トカバー１５及び下部カバー１９には、図５に示すように、前記各リンク部材４１，４５の移動経路として、上下方向の長いスリット１５ｓ，１９ｓがそれぞれ形成される。
【００４２】
前記スリット１５ｓ，１９ｓには、異物質の流入を防止するとともに、前記各リンク部材４１，４５の移動を自由にする異物質流入防止部材５０が備わる。この異物質流入防止部材５０は、軟性のブラッシュや両側に分かれたゴム部材(図示せず)などからなる。
【００４３】
また、前記下部カバー１９において、前記スリット１９ｓの下端部には、略水平方向に開いた状態で前記ドア３０の移動を止めるストッパー５５が備わることが好ましい。ここで、前記ストッパー５５は、ドア３０のリンク部材４１，４５の連結部、キャビネット１０側のリンクブラケット４３，４７、またはリンク部材４１，４５に多様に構成することで、ドア３０及び前記リンク部材４１，４５がさらに下方に移動することを防止する。
【００４４】
以下、上記のように構成される本発明の第１実施形態による開放型上下動ドアを備えたドラム洗濯機の動作を説明する。
図４に示したドア３０の閉鎖状態において、ドアを開くために下側の取っ手３９Ｄを握ってドア３０を下方に引くと、図５に示すように、ドア３０は、上端部が下方へ移動するとともに、下端部が洗濯機の前側に略水平方向に移動しながら、図６のように開放される。
【００４５】
すなわち、ベース１３に二対のリンク部材４１，４５により連結されたドア３０は、使用者が引張る力によって、図５に示すように、洗濯機の前方に傾斜して移動した後、図６に示すように、ドア３０が略水平になるまで下方へ移動して開放される。このとき、前記各リンク部材４１，４５は、キャビネット１０の前面に形成されたスリット１５ｓ，１９ｓに沿ってストッパー５５にかかるまで下方へ回転移動する。
【００４６】
このような前記ドア３０の開放状態において、使用者は、キャビネット１０の開口部を通してドラム２５内に洗濯物を投入したりドラム２５から洗濯物を取り出すことができる。このとき、使用者は、必要によって、ドラム２５から取り出した洗濯物を容器構造のドア窓３５に保管できる。
【００４７】
一方、上記のようなドア３０の開放状態で洗濯物を取り出した後、ドア３０の上側の取っ手３９Ｕを握って上方へ引くと、ドア３０は、前記各リンク部材４１，４５と一緒に上方に移動しながら、図４に示すように、フロン（登録商標）トカバー１５に密着して閉鎖される。
【００４８】
図７は、本発明の第２実施形態によるドラム洗濯機を示した概略側面図である。なお、本発明の第２実施形態を説明するにおいて、第１実施形態と同一か類似した構成部分には同一の図面符号を付し、それに対する詳細な説明を省略する。
【００４９】
本発明の第２実施形態によるドラム洗濯機は、図７に示すように、電動モータ７０などからなる自動開閉機構を用いてドア３０を自動に昇降させるように構成される。
【００５０】
すなわち、前記自動開閉機構は、キャビネット１０の前面をなすコントロールパネル１７に備わったドア自動開放ボタン６１及びドア自動閉鎖ボタン６２と、前記キャビネット１０の内部に備わり前記電動モータ７０に電力を供給するとともに二つの前記ボタン６１，６２の作動によって電動モータ７０の作動を制御するモータ制御機構６５と、から構成される。
【００５１】
特に、前記電動モータ７０は、前記第１リンク部材４１の下端部に結合され、第１リンク部材４１の回転によってドア３０を開閉する構造となっている。ここで、前記電動モータ７０は、第２リンク部材に結合することもできる。
【００５２】
上述したように、本発明による第２実施形態のドラム洗濯機は、ドア自動開放ボタン６１及びドア自動閉鎖ボタン６２の操作によってドア３０を自動に開閉するとき、前記電動モータ７０の駆動力によって前記第１リンク部材４１が回転することで、ドア３０は第２リンク部材４５と一緒に上下方向に移動して自動に開閉される。
【図面の簡単な説明】
【００５３】
【図１】従来のドラム洗濯機を示した斜視図である。
【図２】従来のドラム洗濯機におけるドアの開放状態を示した概略図である。
【図３】本発明の第１実施形態によるドラム洗濯機を示した概略側面図である。
【図４】本発明の第１実施形態によるドラム洗濯機におけるドアの閉鎖状態を示した斜視図である。
【図５】本発明の第１実施形態によるドラム洗濯機におけるドアの開放中の状態を示した斜視図である。
【図６】本発明の第１実施形態によるドラム洗濯機におけるドアの開放状態を示した斜視図である。
【図７】本発明の第２実施形態によるドラム洗濯機を示した概略側面図である。
【符号の説明】
【００５４】
１０    キャビネット
１１    開口部
１２    キャビネット本体
１３    ベース
１４    トップカバー
１５    フロン（登録商標）トカバー
１５ｓ    スリット
１９    下部カバー
１９ｓ    スリット
２９    ガスケット
３０    ドア
３１    ドアフレーム
３２    側面部
３５    ドア窓
３６    窓枠
３７    容器形窓
３９，３９Ｕ，３９Ｄ    取っ手
４０    開閉リンク機構
４１    第１リンク部材
４２    連結軸
４３    リンクブラケット
４４    ヒンジ軸
４５    第２リンク部材
４６    連結軸
４７    リンクブラケット
４８    ヒンジ軸
５０    異物質流入防止部材
５５    ストッパー
６１    ドア自動開放ボタン
６２    ドア自動閉鎖ボタン
６５    モータ制御機構
７０    電動モータ
【図１】
2006116321.tif 000003
【図２】
2006116321.tif 000004
【図３】
2006116321.tif 000005
【図４】
2006116321.tif 000006
【図５】
2006116321.tif 000007
【図６】
2006116321.tif 000008
【図７】
2006116321.tif 000009